(57)【特許請求の範囲】
【請求項１】
屋根下地の傾斜に沿って複数の屋根材が葺かれた屋根構造体であって、
前記屋根下地に取り付けられ、前記屋根材の下方端部に係止し前記屋根材を保持する屋根材保持具と、
屋根の周端部領域において前記屋根下地に取り付けられ、前記屋根材の横方向端部に係止し前記屋根材の保持を補強する補強具とを備え、
前記補強具は、
下方に延び、前記屋根下地に取り付けられる垂下部と、
その一方端部が前記垂下部の上方端部に接続され、前記垂下部の延びる方向と直交する方向に延びる載置部と、
前記載置部の他方端部に接続され、上方に前記屋根材の厚さに対応した長さ延び、その上方端部が前記垂下部側に屈曲する係止部と、
前記垂下部の一部から前記係止部側に突出する返し部とを備えた、屋根構造体。
【請求項２】
屋根下地の傾斜に沿って複数の屋根材が葺かれた屋根構造体であって、
前記屋根下地に取り付けられ、前記屋根材の下方端部に係止し前記屋根材を保持する屋根材保持具と、
屋根の周端部領域において前記屋根下地に取り付けられ、前記屋根材の横方向端部に係止し前記屋根材の保持を補強する補強具とを備え、
前記周端部領域は、前記屋根の各面における周縁の各々から中央側に向けて前記屋根全体の短辺方向平面視長さの１割以内の領域であり、
前記補強具は、前記周端部領域に配置される前記屋根材の各々に対して係止する、屋根構造体。
【請求項３】
前記周端部領域は、前記屋根の各面における周縁の各々から中央側に向けて前記屋根全体の短辺方向平面視長さの１割以内の領域であり、
前記補強具は、前記周端部領域に配置される前記屋根材の各々に対して係止する、請求項１記載の屋根構造体。
【請求項４】
長手方向に前記屋根材の傾斜方向長さに対応した長さ延びる矩形板状の平坦部と、前記平坦部の短手方向両端から内方斜め上方に延びる羽根部とを備え、横方向に隣接する前記屋根材同士の継ぎ目の位置において前記屋根下地に取り付けられるスペーサを更に備えた、請求項１から請求項３のいずれかに記載の屋根構造体。
【請求項５】
屋根下地の傾斜に沿って複数の屋根材が葺かれた屋根構造体の構成方法であって、
下方に延び、前記屋根下地に取り付けられる垂下部と、その一方端部が前記垂下部の上方端部に接続され、前記垂下部の延びる方向と直交する方向に延びる載置部と、前記載置部の他方端部に接続され、上方に前記屋根材の厚さに対応した長さ延び、その上方端部が前記垂下部側に屈曲する係止部と、前記垂下部の一部から前記係止部側に突出する返し部とを備えた補強具を準備する工程と、
前記補強具の前記垂下部を屋根の周端部領域において前記屋根下地に取り付ける工程と、
前記屋根材の横方向端部を前記補強具の前記係止部に係止させる工程とを備える、屋根構造体の構成方法。
【発明の詳細な説明】
【技術分野】
【０００１】
この発明は屋根構造体及びその構成方法に関し、特に、スレートの屋根材を用いた屋根構造体及びその構成方法に関するものである。
【背景技術】
【０００２】
従来、スレートの屋根材を用いた屋根構造体に関し、以下のような技術が提案されている。
【０００３】
特許文献１には、スレート等の屋根材で屋根を葺く作業を効率良く行うことのできる屋根材保持具として、下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根の傾斜方向上位側に屈曲した屋根材係止部とを具備するものが開示されている。又、スレート等の屋根材の各々の下位側端部に対し、上述した屋根材保持具を係止させることで屋根材を保持し、屋根の構造を構築している。
【０００４】
これによって、屋根材が下位側にずり落ちることや上方に浮き上がることを防止し、通常の使用においては十分に屋根材が屋根下地に固定されていた。
【先行技術文献】
【特許文献】
【０００５】
【特許文献１】国際公開第２００５／０８８０２３号
【発明の概要】
【発明が解決しようとする課題】
【０００６】
近年、大型の台風等により強風が家屋に吹き付ける事態が発生している。このような強風による屋根材のずれや剥離等が懸念され、屋根の耐風圧性や耐久性を向上させる構造の要請が強くなった。
【０００７】
この発明は、上記のような課題を解決するためになされたもので、屋根の耐風圧性や耐久性が向上する屋根構造体及びその構成方法を提供することを目的とする。
【課題を解決するための手段】
【０００８】
上記の目的を達成するために、請求項１記載の発明は、屋根下地の傾斜に沿って複数の屋根材が葺かれた屋根構造体であって、屋根下地に取り付けられ、屋根材の下方端部に係止し屋根材を保持する屋根材保持具と、屋根の周端部領域において屋根下地に取り付けられ、屋根材の横方向端部に係止し屋根材の保持を補強する補強具とを備え、補強具は、下方に延び、屋根下地に取り付けられる垂下部と、その一方端部が垂下部の上方端部に接続され、垂下部の延びる方向と直交する方向に延びる載置部と、載置部の他方端部に接続され、上方に屋根材の厚さに対応した長さ延び、その上方端部が垂下部側に屈曲する係止部と、垂下部の一部から係止部側に突出する返し部とを備えたものである。
【０００９】
このように構成すると、屋根材が強固に固定される。又、補強具は返し部を含む垂下部により強固に屋根下地に取り付けられると共に、補強具の係止部に屋根材の横方向端部が係止する。
【００１０】
請求項２記載の発明は、屋根下地の傾斜に沿って複数の屋根材が葺かれた屋根構造体であって、屋根下地に取り付けられ、屋根材の下方端部に係止し屋根材を保持する屋根材保持具と、屋根の周端部領域において屋根下地に取り付けられ、屋根材の横方向端部に係止し屋根材の保持を補強する補強具とを備え、周端部領域は、屋根の各面における周縁の各々から中央側に向けて屋根全体の短辺方向平面視長さの１割以内の領域であり、補強具は、周端部領域に配置される屋根材の各々に対して係止するものである。
【００１１】
このように構成すると、屋根材が強固に固定される。又、補強に効果的な領域に補強具が配置される。
【００１２】
請求項３記載の発明は、請求項１記載の発明の構成において、周端部領域は、屋根の各面における周縁の各々から中央側に向けて屋根全体の短辺方向平面視長さの１割以内の領域であり、補強具は、周端部領域に配置される屋根材の各々に対して係止するものである。
【００１３】
このように構成すると、補強に効果的な領域に補強具が配置される。
【００１４】
請求項４記載の発明は、請求項１から請求項３のいずれかに記載の発明の構成において、長手方向に屋根材の傾斜方向長さに対応した長さ延びる矩形板状の平坦部と、平坦部の短手方向両端から内方斜め上方に延びる羽根部とを備え、横方向に隣接する屋根材同士の継ぎ目の位置において屋根下地に取り付けられるスペーサを更に備えたものである。
【００１５】
このように構成すると、スペーサにより屋根下地と屋根材の間に空間が形成される。
【００１６】
請求項５記載の発明は、屋根下地の傾斜に沿って複数の屋根材が葺かれた屋根構造体の構成方法であって、下方に延び、屋根下地に取り付けられる垂下部と、その一方端部が垂下部の上方端部に接続され、垂下部の延びる方向と直交する方向に延びる載置部と、載置部の他方端部に接続され、上方に屋根材の厚さに対応した長さ延び、その上方端部が垂下部側に屈曲する係止部と、垂下部の一部から係止部側に突出する返し部とを備えた補強具を準備する工程と、補強具の垂下部を屋根の周端部領域において屋根下地に取り付ける工程と、屋根材の横方向端部を補強具の係止部に係止させる工程とを備えるものである。
【００１７】
このように構成すると、屋根材が強固に固定された屋根構造体が構成される。
【発明の効果】
【００１８】
以上説明したように、請求項１記載の発明は、屋根材が強固に固定されるため、屋根の耐風圧性や耐久性が向上する。又、補強具は返し部を含む垂下部により強固に屋根下地に取り付けられると共に、補強具の係止部に屋根材の横方向端部が係止するため、屋根材がより強固に固定される。
【００１９】
請求項２記載の発明は、屋根材が強固に固定されるため、屋根の耐風圧性や耐久性が向上する。又、補強に効果的な領域に補強具が配置されるため、安定して屋根の耐風圧性や耐久性が向上する。
【００２０】
請求項３記載の発明は、請求項１記載の発明の効果に加えて、補強に効果的な領域に補強具が配置されるため、安定して屋根の耐風圧性や耐久性が向上する。
【００２１】
請求項４記載の発明は、請求項１から請求項３のいずれかに記載の発明の効果に加えて、スペーサにより屋根下地と屋根材の間に空間が形成されるため、水切り機能及び遮熱機能が向上する。
【００２２】
請求項５記載の発明は、屋根材が強固に固定された屋根構造体が構成されるため、屋根の耐風圧性や耐久性が向上する。
【図面の簡単な説明】
【００２３】
【図１】この発明の実施の形態による屋根構造体の全体外観を示す概略斜視図である。
【図２】図１で示した屋根構造体における屋根片面を示す平面図である。
【図３】図２で示したＡ部分の拡大図である。
【図４】この発明の実施の形態の屋根構造体に用いられるスペーサの外観を示す斜視図である。
【図５】図３で示したＶ−Ｖラインの断面図である。
【図６】この発明の実施の形態の屋根構造体に用いられる補強具の外観を示す斜視図である。
【図７】この発明の実施の形態の屋根構造体における補強具周辺の構造を示す断面図である。
【発明を実施するための形態】
【００２４】
図１はこの発明の実施の形態による屋根構造体の全体外観を示す概略斜視図であり、図２は図１で示した屋根構造体における屋根片面を示す平面図である。
【００２５】
これらの図を参照して、屋根構造体１は、切妻屋根である屋根２の傾斜に沿ってその屋根下地に対し複数の屋根材４が葺かれて構成されている。屋根材４は、天然の粘板岩からなる厚さ７ｍｍ〜１５ｍｍ、縦横５００ｍｍの正方形平板状のスレートであり、図２に示すように傾斜方向における同位相においては横一列に並べられると共に、傾斜方向の上位側及び下位側に隣接する位相においては屋根材４同士の継ぎ目５が互い違いの位置となるように配置される。又、屋根材４の各々は、図３及び図５にて後述するように、屋根下地に取り付けられた屋根材保持具（図示せず）に屋根材４の下方端部６（傾斜方向に下方の端部）が係止されることで、その位置が固定されている。
【００２６】
更に、図１及び図２にハッチングで示した屋根２の周端部領域１０に配置された屋根材４には、その横方向端部７（傾斜方向に直交する方向の端部）に、屋根材４の保持を補強する補強具３１が係止している。
【００２７】
具体的には、屋根２の周端部領域１０は、屋根２を構成する各面における周縁３の各々からその面の中央側に向けて、図１に示す屋根２全体の短辺方向平面視長さＷの１割以内の領域である。即ち、図２に示す周端部領域１０の周縁３からの左方幅Ｗ１、右方幅Ｗ２、上方幅Ｗ３、下方幅Ｗ４はいずれも、上記Ｗの１／１０の長さに設定されている。この周端部領域１０にその少なくとも一部が含まれる屋根材４の各々に対し、補強具３１が係止している。
【００２８】
次に、屋根構造体１の単位構造について詳細に説明する。
【００２９】
図３は図２で示したＡ部分の拡大図であり、図４はこの発明の実施の形態の屋根構造体に用いられるスペーサの外観を示す斜視図である。
【００３０】
まず図３を参照して、屋根材４ａは、その左方端部１３が、屋根材４ａに対し左方に隣接する屋根材４ｂの右方端部１４と継ぎ目５でほぼ接するようにして配置されている。又、屋根材４ａ、４ｂ同士の継ぎ目５の位置の屋内方向内部において、スペーサ１６が屋根下地にビス又は釘（図示せず）を用いて取り付けられている。
【００３１】
次に図４を併せて参照して、スペーサ１６は、ステンレス製であって、長手方向に屋根材４ａ、４ｂの傾斜方向長さに対応した長さ（同一長さ又はこれよりも長い長さ）である６００ｍｍ延びる矩形板状の平坦部１７と、平坦部１７の短手方向両端から内方斜め上方に延びる羽根部１８ａ、１８ｂとから構成されている。これによって、降水時には屋根材４ａ、４ｂの継ぎ目５から平坦部１７に雨水が流れ、平坦部１７に沿って下方に排出されるため、屋内に雨水が浸入することが防止される。又、スペーサ１６により屋根下地と屋根材４ａ、４ｂの間に空間が形成されることから、晴天時には屋内から温められ上ってきた空気が屋根材４ａ、４ｂに塞がれることなく屋外に排出され換気が行われる。このようにしてスペーサ１６により屋根構造体１の水切り機能及び遮熱機能が向上している。
【００３２】
戻って図３を参照して、屋根材４ａの下方端部６ａには、３個の屋根材保持具２１ａ〜２１ｃが係止している。又、屋根材４ａは、その上方端部８が、屋根材４ａに対し上方に隣接する屋根材４ｃ、４ｄの下方端部６ｂ、６ｃにより平面視において覆われるように配置されている。このような構造について説明する。
【００３３】
図５は図３で示したＶ−Ｖラインの断面図である。
【００３４】
図３及び図５を参照して、屋根下地４１は、野地板４２の上に桟木４３が組まれ、隣接する桟木４３同士の間を断熱用の炭化コルク層４４で充填することで構成されている。
【００３５】
又、屋根材保持具２１は、上述した特許文献１における屋根材保持具と同様の構成である。即ち、屋根材保持具２１は、下部で屋根下地４１に取り付けられる取付部２２と、該取付部２２の上端部から屋根傾斜方向下位側へ延びる屋根材載置部２３と、該屋根材載置部２３の下位側の端部から上方へ屋根材４ｃの厚み分だけ延び、その上端部２５が屋根傾斜方向上位側に屈曲した屋根材係止部２４とから構成されている。
【００３６】
屋根の構築方法としてはまず、屋根材載置部２３が下位側の屋根材４ａの上方端部８の上面に位置するようにして取付部２２を屋根下地４１の桟木４３にハンマー等で打ち込んで取り付ける。次に、上位側の屋根材４ｃを屋根材載置部２３の上に載置し、屋根材係止部２４に屋根材４ｃの下位側の端面が当接するようにハンマー等で打ち込んで固定する。これらの工程を屋根の下位側から上位側へ順に行うことで複数の屋根材４を葺いていく。これにより、屋根材４に直接ビスや釘等を打ち込むことなく屋根材４を設置することが可能となる。
【００３７】
そして、この発明の実施の形態にあっては、上述した屋根２の周端部領域１０（図２等を参照）に位置する屋根材４ａの横方向端部７に対し、更に補強具３１を取り付けることによって屋根構造体１を構成する。
【００３８】
図６はこの発明の実施の形態の屋根構造体に用いられる補強具の外観を示す斜視図であり、図７はこの発明の実施の形態の屋根構造体における補強具周辺の構造を示す断面図である。
【００３９】
まず図６を参照して、補強具３１は、下方に延び、上述した屋根下地４１（図５を参照）に取り付けられる垂下部３２と、その一方端部３５が垂下部３２の上方端部３３に接続され、垂下部３２の延びる方向と直交する方向（水平方向）に延びる載置部３４と、載置部３４の他方端部３６に接続され、上方に屋根材４の厚さに対応した長さ（同一長さ又はこれよりも長い長さ）である１５ｍｍ延び、その上方端部３８が垂下部３２側に屈曲する係止部３７と、垂下部３２の一部から係止部３７側に突出する返し部３９とから構成されている。
【００４０】
図７を併せて参照して、垂下部３２の先端は鋭利に構成されているため、垂下部３２を屋根下地４１にハンマー等で打ち込むことにより容易に取り付けることができる。更に、垂下部３２に形成された返し部３９が上方に向かって先広がりの形状となっており、屋根下地４１の形状復元力により垂下部３２周辺が埋まるため、補強具３１が不用意に外れる虞が減少している。次に、屋根下地４１に取り付けた補強具３１の載置部３４に対し、屋根材４をその横方向端部７の下面が接するように載置する。そして、補強具３１の係止部３７をハンマー等で打ち込むことで屋根材４の横方向の端面９と接するようにして、屋根材４の横方向端部７を補強具３１の係止部３７に係止させる。これによって、屋根材４が強固に固定された屋根構造体１が構成される。又、垂下部３２側に屈曲する係止部３７の上方端部３８により、屋根に強風が吹き付けた場合にも屋根材４が浮き上がることを防止する。
【００４１】
この発明の実施の形態による屋根構造体にあっては、このような補強具３１が、強風の吹き付けによる屋根材４の剥離や割れ欠け等の問題が比較的生じやすい屋根２の周端部領域１０（図２等を参照）において設けられることにより、屋根材４の保持を補強している。これによって、屋根材４が強固に固定されるため、屋根２の特に強風が吹き付けた際の耐風圧性や、長期間の使用に耐え得る耐久性が向上する。
【００４２】
又、屋根２の周端部領域１０を上述した特定領域としていることで、補強に効果的な領域に補強具３１が配置されるため、安定して屋根２の耐風圧性や耐久性が向上する。
【００４３】
更に、補強具３１を上述した特定の構成としていることで、補強具３１は返し部３９を含む垂下部３２により強固に屋根下地４１に取り付けられると共に、補強具３１の係止部３７に屋根材４の横方向端部７が係止するため、屋根材４がより強固に固定される。
【００４４】
尚、上記の実施の形態では、屋根材、スペーサ、屋根材保持具や補強具は特定の素材からなるものであったが、他の素材からなるものであっても良い。屋根材は例えば他の天然石、セメントや金属からなるものが挙げられる。又、スペーサ等は例えばアルミニウム−亜鉛合金めっき鋼板からなるものが挙げられる。
【００４５】
又、上記の実施の形態では、切妻屋根を例に挙げて説明したが、片流れ屋根、寄棟屋根等の他の種類の屋根であっても良い。
【００４６】
更に、上記の実施の形態では、屋根材が特定形状のスレートであったが、屋根材保持具及び補強具と係止可能なものであれば他の形状のスレートであっても良いし、スレート以外の種類の屋根材であっても良い。
【００４７】
更に、上記の実施の形態では、屋根下地が特定の構成であったが、他の構成であっても良い。例えば野地板の上にルーフィングや波板を設けても良いし、炭化コルク層が無くとも良い。又、屋根材保持具や補強具が取り付けられるのは桟木でなく垂木等であっても良い。
【００４８】
更に、上記の実施の形態では、補強具が直接的に屋根下地に取り付けられていたが、屋根下地の上にケラバ用や軒先用の水切り金具等を設けてから補強具を取り付けても良い。
【００４９】
更に、上記の実施の形態では、補強具が特定の構成であったが、屋根材の横方向端部に係止して屋根材の保持を補強することができるものであれば他の構成であっても良い。
【００５０】
更に、上記の実施の形態では、横方向に隣接する屋根材同士が継ぎ目においてほぼ接するように配置されていたが、数ｍｍ〜数ｃｍの間隔を設けて配置されていても良い。
【００５１】
更に、上記の実施の形態では、周端部領域が特定の数値範囲内の領域であったが、他の数値範囲に設定しても良い。
【００５２】
更に、上記の実施の形態では、周端部領域の全ての範囲において補強具が設けられていたが、一部に補強具が設けられない箇所があっても良い。例えば、谷周りには補強具を取り付けなくとも良い。
【００５３】
更に、上記の実施の形態では、特定の構造のスペーサを備えていたが、スペーサを備えていなくとも良い。又、スペーサを備える場合、他の構造のものであっても良い。
【００５４】
更に、上記の実施の形態では、屋根材１個あたり屋根材保持具３個及び補強具１個（屋根材が周端部領域にある場合）が設けられていたが、屋根材１個あたりの個数は適宜調整することが可能である。
【００５５】
更に、上記の実施の形態では、特定の構成方法により屋根構造体を構成していたが、他の方法により構成しても良い。
【符号の説明】
【００５６】
１…屋根構造体
２…屋根
３…周縁
４…屋根材
５…継ぎ目
６…下方端部
７…横方向端部
１０…周端部領域
１６…スペーサ
１７…平坦部
１８…羽根部
２１…屋根材保持具
３１…補強具
３２…垂下部
３３…上方端部
３４…載置部
３５…一方端部
３６…他方端部
３７…係止部
３８…上方端部
３９…返し部
４１…屋根下地
尚、各図中同一符号は同一又は相当部分を示す。
【要約】
【課題】  屋根の耐風圧性や耐久性が向上する屋根構造体及びその構成方法を提供する。
【解決手段】  屋根構造体１は、屋根２の傾斜に沿ってその屋根下地に対し複数の屋根材４が葺かれて構成されている。屋根材４の各々は、屋根下地に取り付けられた屋根材保持具に屋根材４の下方端部６が係止されることで、その位置が固定されている。又、屋根２の周端部領域１０に配置された屋根材４には、その横方向端部７に、屋根材４の保持を補強する補強具３１が係止している。このように構成することで、屋根材が強固に固定されるため、屋根の耐風圧性や耐久性が向上する。
【選択図】  図２【図１】
0006868300.tif 000002
【図２】
0006868300.tif 000003
【図３】
0006868300.tif 000004
【図４】
0006868300.tif 000005
【図５】
0006868300.tif 000006
【図６】
0006868300.tif 000007
【図７】
0006868300.tif 000008